(57)【要約】【課題】工事を伴うことなく設置可能で、就寝時間帯におけるトイレの照明の眩しさを解消可能なトイレ用照明装置を提供する。【解決手段】手動で操作されるトイレ付設照明器を備えたトイレ空間内に、該トイレ付設照明器と並存して設置されるトイレ用照明装置を、光源３７と、トイレ空間内への人の侵入を検知して侵入信号を出力する赤外線センサ５１と、手動によるトイレ付設照明器の点灯が行われない時間帯である所定時間帯が、タイマー操作部１４を用いて予め設定されると共に、設定された該所定時間帯中に赤外線センサ５１により人の侵入が検知されると、光源電源部１２を介して光源３７を点灯するＣＰＵ１１とを備えて構成する。【選択図】図２
2008016409.tif 000002
【特許請求の範囲】
【請求項１】
手動で点灯及び消灯されるトイレ付設照明器を備えたトイレ空間内に、該トイレ付設照明器と並存して設置されるトイレ用照明装置であって、
前記トイレ空間を照明する光源と、
前記トイレ空間内への人の侵入を検知する在人検知部と、
手動による前記トイレ付設照明器の点灯が行われない時間帯である所定時間帯が予め設定されると共に、設定された該所定時間帯中に前記在人検知部により人の侵入が検知されると前記光源を点灯する制御部と、を備えることを特徴とするトイレ用照明装置。
【請求項２】
前記光源の明るさは、前記トイレ付設照明器の光源の明るさよりも暗い請求項１記載のトイレ用照明装置。
【請求項３】
前記光源の間接光、半間接光、又は、その双方が、外部に放射される請求項１又は２記載のトイレ用照明装置。
【請求項４】
前記制御部は、前記光源が点灯すると、一定時間経過後に前記光源を消灯する請求項１〜３のいずれか１項に記載のトイレ用照明装置。
【請求項５】
前記在人検知部は、前記トイレ空間内からの人の退出を検知すると共に、前記制御部は、前記光源が点灯中に前記在人検知部により人の退出が検知されると、前記光源を消灯する請求項１〜３のいずれか１項に記載のトイレ用照明装置。
【請求項６】
トイレ付設照明器を備えたトイレ空間内に、該トイレ付設照明器と並存して設置されるトイレ用照明装置であって、
前記トイレ空間を照明する光源と、
前記トイレ空間内への人の侵入を検知する在人検知部と、
前記トイレ空間の照度を検知する照度検知部と、
所定照度が予め設定されると共に、前記照度検知部により検知された前記トイレ空間の照度が前記所定照度以下である場合に、前記在人検知部により前記トイレ空間内への人の侵入が検知されると、前記光源を点灯する制御部と、を備えることを特徴とするトイレ用照明装置。
【請求項７】
前記光源の明るさは、前記トイレ付設照明器の光源の明るさよりも暗い請求項６記載のトイレ用照明装置。
【請求項８】
前記光源の間接光、半間接光、又は、その双方が、外部に放射される請求項６又は７記載のトイレ用照明装置。
【請求項９】
前記制御部は、前記光源が点灯すると、一定時間経過後に前記光源を消灯する請求項６〜８のいずれか１項に記載のトイレ用照明装置。
【請求項１０】
前記在人検知部は、前記トイレ空間内からの人の退出を検知すると共に、前記制御部は、前記光源が点灯中に前記在人検知部により人の退出が検知されると、前記光源を消灯する請求項６〜８のいずれか１項に記載のトイレ用照明装置。
【請求項１１】
紫外線を発光する紫外線光源と該紫外線により光触媒反応を起こす光触媒とで構成される脱臭部を備えた請求項１〜１０のいずれか１項に記載のトイレ用照明装置。
【請求項１２】
前記脱臭部に送風機を備えた請求項１１記載のトイレ用照明装置。
【発明の詳細な説明】
【技術分野】
【０００１】
本発明は、トイレ用照明装置に関し、詳しくは、既にトイレ付設照明器が備えられている住宅のトイレに、該トイレ付設照明器と並存して使用されるトイレ用照明装置に関する。
【背景技術】
【０００２】
住宅において、トイレは昼夜を問わず使用される場所であり、通常、このトイレには照明器が付設されている。この住宅のトイレに付設の照明器は、一般に手動で点灯及び消灯される。例えば、人がトイレを使用するためにトイレ空間に入る際に、トイレの壁等に備えられているスイッチを手動で操作してトイレに付設の照明器を点灯し、退出する際に手動で操作して消灯する。
【０００３】
ところで、上述したように、トイレは昼夜を問わず使用される場所であるので、一般に、就寝時間帯でも使用される。この就寝時間帯でトイレを使用する場合に、トイレに付設の照明器の光源の明るさは、一般に、この就寝時間帯以外の時間帯におけるのと同じ明るさである。
【０００４】
しかし、住宅において、就寝は、一般に、消灯した状態、或いは、点灯していても照度の非常に低い状態の部屋でなされると共に、就寝している部屋からトイレに至る経路も、消灯した状態、或いは、点灯していても照度の非常に低い状態である場合が多い。そこで、就寝時間帯である就寝の途中に寝床から起きて住宅のトイレを使用する場合、上述したように、トイレに付設の照明器の明るさが、就寝時間帯以外の時間帯におけるのと同じ明るさであることから、トイレに付設の照明器を点灯すると、急に明るくなって眩しく感じ、覚醒作用が生じて、その後の睡眠に支障をきたすことも多く、問題となっている。
【０００５】
そこで、このような問題を解決するために、住宅のトイレに付設の照明器に対する種々の提案がなされている（例えば、特許文献１参照）。特許文献１に記載の照明器は、トイレの周囲の明るさを測定する照度センサを備えており、この照度センサが測定した周囲の明るさに合わせて、トイレに付設の照明器の調光を自動的に行うものである。この特許文献１に記載の照明器では、上記の調光による減光により、就寝時間帯におけるトイレに付設の照明器の点灯による眩しさを解消しようとするものである。尚、特許文献１には、トイレの周囲の明るさ測定におけるトイレの周囲に関する明確な記述は見当たらないが、トイレ空間は、一般に、ドアで外部と仕切られていることから、上記のトイレの周囲とは、トイレのドアの外側であると考えられる。
【特許文献１】特開平９−７７７１号公報
【発明の開示】
【発明が解決しようとする課題】
【０００６】
ところで、特許文献１に記載の照明器を住宅のトイレに採用しようとすると、住宅新築時であれば問題は生じないものの、既設の住宅では、既にトイレに付設されている照明器を、上記の照明器と取替える等の工事が必要である。しかし、上記の照明器には、トイレの周囲の明るさを測定する照度センサが必要であり、既存の照明器を上記の照明器と取替える工事のほか、このセンサを取付ける工事等も必要であり、工事費がかさむ等、コスト的な問題をはらんでいる。
【０００７】
そこで、この発明は、このような問題を解決するためになされたものであって、工事を伴うことなく設置可能で、就寝時間帯におけるトイレの照明の眩しさを解消可能なトイレ用照明装置を提供しようとするものである。
【課題を解決するための手段】
【０００８】
本発明は、住宅のトイレに付設の照明器が一般に手動で点灯及び消灯されることに着目してなされたものであって、このトイレ付設の照明器と並存して本発明のトイレ用照明装置を設置すると共に、就寝時間帯では、トイレに付設の照明器を点灯しないで、代わりに、このトイレ用照明装置を自動的に点灯させて使用しようとするものである。
【０００９】
即ち、本発明の第１のトイレ用照明装置は、手動で点灯及び消灯されるトイレ付設照明器を備えたトイレ空間内に、該トイレ付設照明器と並存して設置されるトイレ用照明装置である。この第１のトイレ用照明装置は、光源、在人検知部、及び、制御部を備えている。
【００１０】
この内、光源は、トイレ空間を照明する機能を備えている。在人検知部は、トイレ空間内への人の侵入を検知する機能を備えている。そして、制御部は、手動によるトイレ付設照明器の点灯が行われない時間帯である所定時間帯が予め設定されると共に、設定された該所定時間帯中に在人検知部により人の侵入が検知されると、光源を点灯する機能を備えていることを特徴としている。
【００１１】
又、この第１のトイレ用照明装置では、上記の光源の明るさを、トイレ付設照明器の光源の明るさよりも暗くするのが好適である。又、上記の光源の間接光、半間接光、又は、その双方が、この第１のトイレ用照明装置の外部に放射されるようにするのが好適である。
【００１２】
上記の第１のトイレ用照明装置では、この第１のトイレ用照明装置が設置されるトイレ空間に付設されている手動で点灯及び消灯されるトイレ付設照明器の手動点灯操作は、就寝時間帯では行わないことにする。又、所定時間帯を就寝時間帯とすることにより、所定時間帯にトイレを使用すると、在人検知部がトイレ使用者の存在を検知したときに、制御部により光源が点灯される。又、この際に点灯される光源としては、この光源の明るさが、トイレ付設照明器の光源の明るさよりも暗くなるような光源が用いられる。又、この第１のトイレ用照明装置からこの第１のトイレ用照明装置の外部に放射される光は、上記の光源の間接光、半間接光、又は、その双方である。
【００１３】
従って、就寝時間帯に点灯される光源の明るさは、トイレ付設照明器の光源の明るさよりも暗くなると共に、照射される光は、間接光や半間接光となるので、就寝時間帯にトイレを使用した場合に、トイレの照明の眩しさを解消することができる。
【００１４】
又、第１のトイレ用照明装置は、トイレ付設照明器とは別の独立した照明装置であり、トイレの床等に載置等してトイレ付設照明器と並存して使用されるものである。従って、上記の第１のトイレ用照明装置の設置に際して、工事等は必要ないことから、工事を伴うことなく設置可能で、就寝時間帯におけるトイレの照明の眩しさを解消可能なトイレ用照明装置を提供することができる。
【００１５】
上記の第１のトイレ用照明装置において、制御部は、光源が点灯すると、一定時間経過後に光源を消灯するようにしてもよい。或いは、在人検知部がトイレ空間内からの人の退出を検知すると共に、光源が点灯中に在人検知部によりトイレ空間内からの人の退出が検知されると、制御部が光源を消灯するようにしてもよい。このようにすることにより、点灯された光源を確実に消灯することができる。
【００１６】
本発明の第２のトイレ用照明装置は、上記の第１のトイレ用照明装置と同様、手動で点灯及び消灯されるトイレ付設照明器を備えたトイレ空間内に、該トイレ付設照明器と並存して設置されるトイレ用照明装置である。この第２のトイレ用照明装置は、光源、在人検知部、照度検知部、及び、制御部を備えている。
【００１７】
この内、光源、及び、在人検知部の機能は、上記の第１のトイレ用照明装置と全く同じである。照度検知部は、トイレ空間の照度を検知する機能を備えている。そして、制御部は、所定照度が予め設定されると共に、照度検知部により検知されたトイレ空間の照度が所定照度以下である場合に、在人検知部によりトイレ空間内への人の侵入が検知されると、光源を点灯する機能を備えていることを特徴としている。
【００１８】
又、この第２のトイレ用照明装置では、上述した第１のトイレ用照明装置と同様、光源の明るさを、トイレ付設照明器の光源の明るさよりも暗くするのが好適である。又、上記の光源の間接光、半間接光、又は、その双方が、この第２のトイレ用照明装置の外部に放射されるようにするのが好適である。
【００１９】
上記の第２のトイレ用照明装置では、上述した第１のトイレ用照明装置と同様、この第２のトイレ用照明装置が設置されるトイレ空間に付設されている手動で点灯及び消灯されるトイレ付設照明器の手動点灯操作は、就寝時間帯では行わないことにする。又、制御部に設定される所定照度は、就寝時間帯である夜間にトイレ付設照明器が消灯している状態におけるトイレ空間内の明るさと略同じか、若干明るい照度とする。
【００２０】
すると、就寝時間帯では、トイレが使用される場合でもトイレ付設照明器は消灯したままであるので、照度検知部により検知されるトイレ空間の照度は、予め制御部に設定された所定照度以下となる。そこで、就寝時間帯にトイレを使用すると、在人検知部によりトイレ使用者の存在が検知されたときに、制御部により光源が点灯される。又、この際に点灯される光源としては、この光源の明るさが、トイレ付設照明器の光源の明るさよりも暗くなるような光源が用いられる。又、この第２のトイレ用照明装置からこの第２のトイレ用照明装置の外部に放射される光は、上記の光源の間接光、半間接光、又は、その双方である。
【００２１】
従って、就寝時間帯に点灯される光源の明るさは、トイレ付設照明器の光源の明るさよりも暗くなると共に、照射される光は、間接光や半間接光となるので、就寝時間帯にトイレを使用した場合に、トイレの照明の眩しさを解消することができる。
【００２２】
又、第２のトイレ用照明装置は、上述した第１のトイレ用照明装置と同様、トイレ付設照明器とは別の独立した照明装置であり、トイレの床等に載置等してトイレ付設照明器と並存して使用されるものである。従って、上記の第２のトイレ用照明装置の設置に際しては、工事等は必要ないことから、工事を伴うことなく設置可能で、就寝時間帯におけるトイレの照明の眩しさを解消可能なトイレ用照明装置を提供することができる。
【００２３】
上記の第２のトイレ用照明装置において、上述した第１のトイレ用照明装置と同様、制御部は、光源が点灯すると、一定時間経過後に光源を消灯するようにしてもよい。或いは、在人検知部がトイレ空間内からの人の退出を検知すると共に、光源が点灯中に在人検知部によりトイレ空間内からの人の退出が検知されると、制御部が光源を消灯するようにしてもよい。このようにすることにより、点灯された光源を確実に消灯することができる。
【００２４】
上述した第１のトイレ用照明装置、及び、第２のトイレ用照明装置において、紫外線を発光する紫外線光源と該紫外線により光触媒反応を起こす光触媒とで構成される脱臭部を備えるようにしてもよい。このようにすることにより、トイレ空間の脱臭を行うことができる。又、上記の脱臭部に、送風機を備えるようにしてもよい。このようにすることにより、トイレ空間の脱臭をさらに効率よく行うことができる。
【発明の効果】
【００２５】
本発明の第１のトイレ用照明装置によれば、この第１のトイレ用照明装置が設置されるトイレ空間に付設されているトイレ付設照明器の手動点灯操作は、就寝時間帯では行わないことにすると共に、所定時間帯を就寝時間帯としている。そのため、就寝時間帯にトイレを使用するとトイレ使用者の存在が検知され、これにより光源が点灯される。この光源は、トイレ付設照明器の光源の明るさよりも暗いと共に、照射される光は、間接光や半間接光であるので、就寝時間帯にトイレを使用したときに、トイレの照明が眩しくなるのを解消することができる。
【００２６】
又、第１のトイレ用照明装置は、トイレ付設照明器とは別の独立した照明装置であり、トイレの床等に載置等してトイレ付設照明器と並存して使用されるものである。従って、第１のトイレ用照明装置の設置に際して、工事等は必要ないことから、工事を伴うことなく設置可能で、就寝時間帯におけるトイレの照明の眩しさを解消可能なトイレ用照明装置を提供することができる。
【００２７】
本発明の第２のトイレ用照明装置によれば、第１のトイレ用照明装置と同様、この第２のトイレ用照明装置が設置されるトイレ空間に付設されているトイレ付設照明器の手動点灯操作は、就寝時間帯では行わないことにすると共に、制御部に設定される所定照度は、就寝時間帯である夜間にトイレ付設照明器が消灯している状態におけるトイレ空間内の明るさと略同じか若干明るい照度とする。
【００２８】
そのため、就寝時間帯では、トイレが使用される場合でもトイレ付設照明器は消灯したままであるので、トイレ空間の照度は予め設定された所定照度以下となる。そこで、就寝時間帯にトイレを使用すると、トイレ使用者の存在が検知されたときに光源が点灯される。この光源は、トイレ付設照明器の光源の明るさよりも暗いと共に、照射される光は、間接光や半間接光であるので、就寝時間帯にトイレを使用したときに、トイレの照明が眩しくなるのを解消することができる。
【００２９】
又、第２のトイレ用照明装置は、第１のトイレ用照明装置と同様、トイレ付設照明器とは別の独立した照明装置であり、トイレの床等に載置等してトイレ付設照明器と並存して使用されるものである。従って、第２のトイレ用照明装置の設置に際しては、工事等は必要ないことから、工事を伴うことなく設置可能で、就寝時間帯におけるトイレの照明の眩しさを解消可能なトイレ用照明装置を提供することができる。
【発明を実施するための最良の形態】
【００３０】
以下、本発明の実施の形態におけるトイレ用照明装置について、図面を参照しながら説明する。
【００３１】
＜実施の形態１＞
実施の形態１におけるトイレ用照明装置１は、手動で点灯及び消灯されるトイレ付設照明器が備えられたトイレ空間内に、このトイレ付設照明器と並存して設置される独立したスタンドアロンタイプの照明装置であり、トイレの床等に載置される等して使用される。図１は、この実施の形態１におけるトイレ用照明装置１の断面図である。このトイレ用照明装置１は、円板状の台座３１の上に、連結脚３３を介して、乳白色の半透光性を有する円筒状の外筒３２が載置された外観をしている。
【００３２】
次に、実施の形態１におけるトイレ用照明装置１の構造について説明する。図１において、このトイレ用照明装置１は、台座３１、外筒３２、連結脚３３、光源支持板３４、上支持板３５、光源用ソケット３６、光源用リフレクター４４、光源３７、ブラックライトソケット３８、ブラックライト３９、半筒壁４０、ファン４１、ファン支持脚４２、電源ケーブル４３、及び、赤外線センサ５１で構成されている。
【００３３】
台座３１は、円板状をしており、この台座３１の円形状の上面の外周を４等分する位置に、下端が内側に水平に折曲した４本の連結脚３３が垂設されて固定されている。この連結脚３３の上端は、内側に水平に折曲して光源支持板支持片３３ａを形成しており、この光源支持板支持片３３ａの上面に、円盤状の光源支持板３４が載置されて固定されている。又、光源支持板支持片３３ａの下端から多少離間した光源支持板支持片３３ａの下部には、この下部の外側面から外側に突出した外筒支持片３３ｂが設けられており、この外筒支持片３３ｂの上面に、円筒状の外筒３２の下端が接するようにして、外筒３２が載置されて保持されている。
【００３４】
光源支持板３４の下面の中心部には、光源用ソケット３６が下方に突出するようにして設けられている。この光源用ソケット３６の周りには、この光源用ソケット３６を中心にして下方に向かって椀状に開いた形状の光源用リフレクター４４が取付けられている。又、この光源用ソケット３６には、白熱ランプでなる光源３７が装着されており、この光源３７は、トイレ用照明装置１の照明用の光源として用いられる。この光源３７の明るさは、このトイレ用照明装置１が使用されるトイレ空間内に付設されているトイレ付設照明器の光源よりも暗い光源が用いられる。一般的には、光源３７の明るさは、トイレ空間内に付設されているトイレ付設照明器の光源の半分程度の明るさである。この光源３７が点灯すると、その光が、光源用リフレクター４４で反射されると共に、乳白色の半透光性を有する円筒状の外筒３２を透過してトイレ用照明装置１の外側に放射されるので、トイレ用照明装置１の外側に放射される光は、略、光源３７の間接光、及び、半間接光となる。
【００３５】
又、光源支持板３４の上面の中心部には、ブラックライトソケット３８が上方に突出するようにして設けられている。又、光源支持板３４の上面には、２本の略半円筒形状の半筒壁４０が、各半筒壁４０の中心軸が光源支持板３４の上面の中心点と一致するようにして、垂設されている。この半筒壁４０の下端及び上端は、いずれも外側に水平に折曲して半筒壁係止片４０ａを形成しており、下端に形成された半筒壁係止片４０ａにより、半筒壁４０が光源支持板３４上に固定されている。
【００３６】
この半筒壁４０の上端に形成された半筒壁係止片４０ａの上面には、円盤状で光源支持板３４と大きさ及び外形が同一の上支持板３５が、この上支持板３５の下面の中心点が半筒壁４０の中心軸と一致するように載置されて固定されている。又、上支持板３５の下面の中心部には、ブラックライトソケット３８が下方に突出するように設けられており、光源支持板３４に設けられているブラックライトソケット３８との間に、ブラックライト３９が装着されている。
【００３７】
ブラックライト３９は、可視光線がカットされて紫外線のみが発光される１種の蛍光灯である。又、このブラックライト３９は、略半円筒形状の半筒壁４０と対面するように配置されていると共に、半筒壁４０の表面には、光触媒である酸化チタンが塗布されている。そのため、半筒壁４０の表面に、ブラックライト３９が放射する紫外線が照射されると、光触媒反応を誘起するので、半筒壁４０の表面付近に存在する空気の脱臭を行うことができる。
【００３８】
上支持板３５の上面には、この上面の外周を４等分する位置に、４本のファン支持脚４２が垂設されて固定されており、このファン支持脚４２の上端部内側には、ファン４１が保持されて固定されている。
【００３９】
又、上記の光源支持板３４及び上支持板３５には、それぞれ、上下方向に貫通する光源支持板通気孔３４ａ及び上支持板通気孔３５ａが設けられている。又、外筒支持片３３ｂの上面に載置されている円筒状の外筒３２の下端と台座３１の上面との間には、隙間が形成されており、この隙間を通って空気が流通する。そこで、ファン４１が回転すると、この隙間から吸引された空気が、光源支持板通気孔３４ａ及び上支持板通気孔３５ａを通って、上方へ排出される。そのため、この隙間から吸引された空気は、半筒壁４０の表面付近を通過する際に、上述した光触媒反応により脱臭されて上方へ排出される。
【００４０】
又、上記の台座３１の外側面上には、人体から放射される熱赤外線を検知する赤外線センサ５１が備えられている。この赤外線センサ５１は、後述するように、トイレ用照明装置１が設置されるトイレ空間内に、トイレを使用するために入ってきた人を検知するのに用いられる。又、台座３１の内部には、トイレ用照明装置１の制御部１０が収容されている。
【００４１】
次に、トイレ用照明装置１の制御部１０について説明する。図２は、トイレ用照明装置１の制御部１０の構成を示したブロック図である。図２において、トイレ用照明装置１の制御部１０は、ＣＰＵ１１、光源電源部１２、表示部１３、タイマー操作部１４、及び、赤外線センサ５１で構成されている。これらの各部は、ＣＰＵ１１に接続されている。
【００４２】
ＣＰＵ１１は、マイクロコンピュータで構成されている。このＣＰＵ１１は、フラッシュメモリ等のメモリを内蔵しており、このメモリには、トイレ用照明装置１を制御するのに必要なＯＳやアプリケーションプログラム等のソフトウエアが格納されている。ＣＰＵ１１は、このメモリに搭載されたソフトウエアにより、各種の処理を行う。又、ＣＰＵ１１は、時計機能及びタイマー機能を備えている。
【００４３】
光源電源部１２は、光源３７を点灯するための電源であり、ＣＰＵ１１の指示に基づき光源３７の点灯及び消灯を制御する機能を有している。表示部１３は、小型のＬＣＤ表示器で構成されており、各種の表示を行う機能を有している。タイマー操作部１４は、テンキー等のキーボードで構成されており、トイレ用照明装置１のタイマーや時刻に関する各種の設定を行うのに用いられる。このタイマー操作部１４は、上記の表示部１３と共に、台座３１の外側面上で、赤外線センサ５１が取付けられている位置とは反対側の位置に取付けられている。赤外線センサ５１は、上述したように、トイレ用照明装置１が設置されるトイレ空間内に、トイレを使用するために入ってきた人を検知する機能を有している。この赤外線センサ５１は、人体から放射される熱赤外線を検知すると、侵入信号を出力する。
【００４４】
上記のトイレ用照明装置１を使用するのに際しては、予め、所定時間帯の開始時刻、及び、所定時間帯の終了時刻と、光源３７を点灯した際の点灯から消灯までの点灯継続時間を設定する必要がある。この設定は、表示部１３及びタイマー操作部１４を用いて手動により行われる。上記の所定時間帯とは、次のような時間帯である。
【００４５】
即ち、上記のトイレ用照明装置１が設置されるトイレ空間内に付設されているトイレ付設照明器は、手動操作により点灯及び消灯が行われるが、トイレ空間内に、トイレ用照明装置１を設置して使用する場合には、夜間のいわゆる就寝時間帯では、トイレを使用する場合も、このトイレ付設照明器に対しては手動操作により点灯及び消灯を行わないことにする。この手動操作によるトイレ付設照明器の点灯及び消灯を行わない時間帯が、上記の所定時間帯であり、一般的には、就寝時間帯がこの所定時間帯として設定される。この所定時間帯では、後述するように、トイレ付設照明器による照明に代えて、このトイレ付設照明器よりも暗い照明である上記のトイレ用照明装置１による照明が用いられる。
【００４６】
このように、所定時間帯では、トイレ付設照明器による照明に代えて、このトイレ付設照明器よりも暗い照明であるトイレ用照明装置１による照明を用いる仕組みとしたのは、次の理由による。即ち、就寝時間帯である就寝の途中に寝床から起きて住宅のトイレを使用するときに、トイレに付設の照明器の光源の明るさが、就寝時間帯以外の時間帯におけるのと同じ明るさである場合は、トイレに付設の照明器を点灯すると、急に明るくなって眩しく感じ、覚醒作用が生じて、その後の睡眠に支障をきたすことも多い。そのため、このような状態を解消するために、就寝時間帯では、トイレ付設照明器による照明に代えて、このトイレ付設照明器よりも暗い照明であるトイレ用照明装置１による照明を用いる仕組みとしたのである。
【００４７】
上記の所定時間帯の開始時刻、及び、終了時刻の設定は、例えば、開始時刻２３時００分、終了時刻６時００分のように設定される。又、点灯継続時間は、例えば、５分００秒のように設定される。これらの所定時間帯の開始時刻、終了時刻、及び、点灯継続時間は、ＣＰＵ１１に内蔵されているメモリに記憶される。
【００４８】
次に、上記のトイレ用照明装置１の制御部１０における動作について説明する。図３(ａ)、(ｂ)は、トイレ用照明装置１の制御部１０の動作を示したフローチャートである。この図３(ａ)のフローチャートで表される動作と、図３(ｂ)のフローチャートで表される動作とは、マルチタスクとして、制御部１０のＣＰＵ１１で同時に処理される。又、制御部１０のＣＰＵ１１には、ソフトウエア上、現在時刻が所定時間帯内であるときに、即ち、所定時間帯中であるときにはセットされており、それ以外の時間帯中であるときにはリセットされている所定時間帯表示フラグＦ１が設けられている。
【００４９】
図３(ａ)のフローチャートにおいて、まず、所定時間帯表示フラグＦ１がリセットされる(Ｓ１)。そして、現在の時刻と所定時間帯開始時刻とが比較され(Ｓ２)、一致すると(Ｓ３)、所定時間帯表示フラグＦ１がセットされる(Ｓ４)。そして、次に、現在の時刻と所定時間帯終了時刻とが比較され(Ｓ５)、一致すると(Ｓ６)、最初に戻って(Ｓ１)、上記の処理が繰返される。
【００５０】
一方、図３(ｂ)のフローチャートにおいて、最初に、赤外線センサ５１から侵入信号が出力されたか否かがチェックされ（Ｓ１１）、侵入信号が出力されると、次に、所定時間帯表示フラグＦ１がセットされているか否かがチェックされる（Ｓ１２）。所定時間帯表示フラグＦ１がセットされていなければ（Ｓ１２）、侵入信号が出力された時刻は所定時間帯中ではないので、Ｓ１１に戻って上記の処理が繰返される。
【００５１】
Ｓ１２で所定時間帯表示フラグＦ１がセットされていると、侵入信号が出力された時刻は所定時間帯中であるので、光源電源部１２により光源３７が点灯される（Ｓ１３）。光源３７が点灯されると、ＣＰＵ１１が備えるタイマー機能により、点灯継続時間が経過したか否かがチェックされ（Ｓ１４）、点灯継続時間が経過すると、光源電源部１２により光源３７が消灯されて（Ｓ１５）、Ｓ１１に戻って上記の処理が繰返される。
【００５２】
尚、ブラックライト３９の点灯及びファン４１の回転については、トイレ用照明装置１の電源ケーブル４３が接続されている間は連続して行うようにしてもよく、又は、所定時間帯表示フラグＦ１がセットされている間は連続して行うようにしてもよく、或いは、光源３７が点灯されている間のみ行うようにしてもよい。
【００５３】
次に、上記の実施の形態１におけるトイレ用照明装置１の効果について説明する。上記のトイレ用照明装置１の運用としては、トイレ用照明装置１が設置されるトイレ付設照明器が付設されたトイレ空間では、就寝時間帯には、手動で点灯及び消灯されるトイレ付設照明器の手動点灯操作は行わない運用とする。この運用条件下で、この就寝時間帯を所定時間帯とすることにより、就寝時間帯では所定時間帯表示フラグＦ１がセットされる。そこで、この所定時間帯表示フラグＦ１がセットされている就寝時間帯にトイレを使用すると、赤外線センサ５１がトイレ使用者の存在を検知して侵入信号を出力したときに、光源電源部１２により光源３７が点灯される。又、この光源３７には、トイレ用照明装置１が使用されるトイレ空間に付設されているトイレ付設照明器の光源の明るさよりも暗い光源が用いられている。又、光源３７の光が、光源用リフレクター４４で反射されると共に、乳白色の半透光性を有する円筒状の外筒３２を透過してトイレ用照明装置１の外側に放射されるので、トイレ用照明装置１の外側に放射される光は、略、光源３７の間接光、及び、半間接光となる。従って、就寝時間帯に点灯される光源３７の明るさは、トイレ付設照明器の光源の明るさよりも暗いと共に、照射される光は、間接光や半間接光であるので、就寝時間帯にトイレを使用したときに、トイレの照明が眩しくなるのを解消することができる。
【００５４】
又、上記のトイレ用照明装置１は、トイレ用照明装置１が使用されるトイレ空間に付設されているトイレ付設照明器とは別の独立した照明装置であり、トイレの床等に載置等してトイレ付設照明器と並存して使用されるものである。従って、上記のトイレ用照明装置１の設置に際して、工事等は必要ないことから、工事を伴うことなく設置可能で、就寝時間帯におけるトイレの照明の眩しさを解消可能なトイレ用照明装置を提供することができる。
【００５５】
又、一般的に、トイレ付設照明器は、トイレ空間の天井等に設置されている場合が多いのに対して、上記のトイレ用照明装置１は、トイレの床等に載置等して使用される場合が多い。そのため、トイレ用照明装置１の光源３７の位置の高さが、トイレ付設照明器の光源の位置の高さよりも低くなる場合が多く、この点でも、就寝時間帯にトイレを使用する際のトイレの照明の眩しさ解消に、貢献すると考えられる。そこで、トイレ用照明装置１の光源の明るさと、トイレ付設照明器の光源の明るさとが同じ程度であっても、就寝時間帯にトイレを使用する際のトイレの照明の眩しさ解消に役立つ場合があると考えられる。
【００５６】
又、上記のトイレ用照明装置１は、トイレ用照明装置１内の空気の脱臭を行うと共に、ファン４１を備えているので、トイレ用照明装置１が使用されるトイレ空間の空気の脱臭を、効率的に行うことができる。
【００５７】
ところで、上記のトイレ用照明装置１では、光源３７の消灯を、ＣＰＵ１１が備えるタイマー機能を用いることで点灯継続時間の経過により行っているが、赤外線センサ５１に人体から放射される熱赤外線を検知しなくなると退出信号を出力する機能を備えると共に、この退出信号を用いて光源３７の消灯を行うようにしてもよい。この場合は、点灯継続時間の設定を行う必要はない。
【００５８】
図４は、このような場合のトイレ用照明装置１の制御部１０の動作を示したフローチャートである。この場合、図３(ａ)のフローチャートの動作はそのまま用いると共に、図３(ｂ)のフローチャートの動作に代えて、図４のフローチャートの動作を用いる。
【００５９】
即ち、図４のフローチャートにおいて、最初に、赤外線センサ５１から侵入信号が出力されたか否かがチェックされ（Ｓ１６）、侵入信号が出力されると、次に、所定時間帯表示フラグＦ１がセットされているか否かがチェックされる（Ｓ１７）。所定時間帯表示フラグＦ１がセットされていなければ（Ｓ１７）、侵入信号が出力された時刻は所定時間帯中ではないので、Ｓ１６に戻って上記の処理が繰返される。
【００６０】
Ｓ１７で所定時間帯表示フラグＦ１がセットされていると、侵入信号が出力された時刻は所定時間帯中であるので、光源電源部１２により光源３７が点灯される（Ｓ１８）。光源３７が点灯されると、赤外線センサ５１から退出信号が出力されたか否かがチェックされ（Ｓ１９）、退出信号が出力されると（Ｓ１９）、光源電源部１２により光源３７が消灯して（Ｓ２０）、Ｓ１６に戻って上記の処理が繰返される。
【００６１】
又、上記のトイレ用照明装置１では、ファン４１を備えているが、このファン４１を備えないトイレ用照明装置を構成することもできる。このファン４１を備えないトイレ用照明装置では、円筒状の外筒３２の下端と台座３１の上面との間の隙間から入った空気は、光源３７の熱により生じる対流作用により、上方へ排出される。
【００６２】
又、上記のトイレ用照明装置１では、光源３７をトイレ用照明装置１の下部に備えているが、トイレ用照明装置１の上部に備えるように構成することもできる。
【００６３】
＜実施の形態２＞
図５は、実施の形態２におけるトイレ用照明装置２の断面図、図６は、このトイレ用照明装置２の制御部２０の構成を示したブロック図、そして、図７(ａ)、(ｂ)は、このトイレ用照明装置２の制御部２０の動作を示したフローチャートである。
【００６４】
実施の形態２におけるトイレ用照明装置２も、実施の形態１におけるトイレ用照明装置１と同様、手動で点灯及び消灯されるトイレ付設照明器が備えられたトイレ空間内に、このトイレ付設照明器と並存して設置される独立したスタンドアロンタイプの照明装置であり、トイレの床等に載置される等して使用される。
【００６５】
実施の形態２におけるトイレ用照明装置２は、下記に述べる点を除いて、実施の形態１におけるトイレ用照明装置１と全く同じである。実施の形態２におけるトイレ用照明装置２が、実施の形態１におけるトイレ用照明装置１と異なる点は、トイレ用照明装置２のファン支持脚４２の上面に照度センサ５２を備えている点と、タイマー操作部１４に代えて、操作部２１を用いている点である。この操作部２１は、実施の形態１におけるトイレ用照明装置１と同様、表示部１３と共に、台座３１の外側面上で、赤外線センサ５１が取付けられている位置とは反対側の位置に取付けられている。
【００６６】
照度センサ５２は、トイレ用照明装置２が設置されるトイレ空間内の照度を検知する機能を有している。又、操作部２１は、タイマー操作部１４と同様、テンキー等のキーボードで構成されており、点灯継続時間の設定のほか、所定照度の設定に用いられる。この点灯継続時間、及び、所定照度の設定は、上記のトイレ用照明装置２を使用するのに際して、予め、行う必要がある。又、設定された点灯継続時間、及び、所定照度は、ＣＰＵ１１に内蔵されているメモリに記憶される。上記の所定照度は、次のような照度に設定される。
【００６７】
即ち、この実施の形態２におけるトイレ用照明装置２では、実施の形態１におけるトイレ用照明装置１と同様、トイレ空間内でトイレ用照明装置２を使用する場合は、トイレを使用する場合も、夜間のいわゆる就寝時間帯では手動操作によるトイレ付設照明器の点灯及び消灯を行わないことにする。そうすると、就寝時間帯では、手動操作によるトイレ付設照明器の点灯が行われないので、就寝時間帯ではトイレを使用する際に、トイレ付設照明器が点灯していない状態であることを検知することで、トイレ用照明装置２を点灯させる時間帯である就寝時間帯であることが分かる。
【００６８】
そこで、就寝時間帯にトイレを使用する際に、トイレ付設照明器が点灯していない状態であることを、照度検知部２１が検知できるようにするために、上記の所定照度としては、就寝時間帯である夜間にトイレ付設照明器が消灯している状態におけるトイレ空間内の明るさと略同じか、若干明るい照度とする。
【００６９】
次に、上記の照度センサ５２を備えた実施の形態２におけるトイレ用照明装置２の制御部２０の動作について説明する。実施の形態２におけるトイレ用照明装置２においても、実施の形態１におけるトイレ用照明装置１と同様、図７(ａ)のフローチャートで表される動作と、図７(ｂ)のフローチャートで表される動作とは、マルチタスクとして、制御部２０のＣＰＵ１１で同時に処理される。又、制御部２０のＣＰＵ１１には、照度センサ５２により、トイレ用照明装置２が設置されるトイレ空間内の明るさが所定照度以下である場合にセットされ、そうでない場合にリセットされる照明要表示フラグＦ２が、ソフトウエア上設けられている。
【００７０】
図７(ａ)のフローチャートにおいて、まず、照明要表示フラグＦ２がリセットされる(Ｓ２１)。そして、照度センサ５２の検知した照度が所定照度以下であるか否かがチェックされ(Ｓ２２)、所定照度以下であると(Ｓ２３)、照明要表示フラグＦ２がセットされる(Ｓ２４)。そして、次に、再び、照度センサ５２の検知した照度が所定照度以下であるか否かがチェックされ(Ｓ２５)、所定照度以下でない場合に(Ｓ２６)、最初に戻って(Ｓ２１)、上記の処理が繰返される。
【００７１】
一方、図７(ｂ)のフローチャートにおいて、最初に、赤外線センサ５１から侵入信号が出力されたか否かがチェックされ（Ｓ３１）、侵入信号が出力されると、次に、照明要表示フラグＦ２がセットされているか否かがチェックされる（Ｓ３２）。照明要表示フラグＦ２がセットされていなければ（Ｓ３２）、侵入信号が出力された時刻は照明要ではないので、Ｓ３１に戻って上記の処理が繰返される。
【００７２】
Ｓ３２で照明要表示フラグＦ２がセットされていると、侵入信号が出力された時刻は照明要であるので、光源電源部１２により光源３７が点灯される（Ｓ３３）。光源３７が点灯されると、ＣＰＵ１１は、ＣＰＵ１１が備えるタイマー機能により、点灯継続時間が経過したか否かがチェックされ（Ｓ３４）、点灯継続時間が経過すると、光源電源部１２により光源３７が消灯されて（Ｓ３５）、Ｓ３１に戻って上記の処理が繰返される。
【００７３】
尚、ブラックライト３９の点灯及びファン４１の回転については、実施の形態１におけるトイレ用照明装置１と全く同様に行われる。
【００７４】
次に、上記の実施の形態２におけるトイレ用照明装置２の効果について説明する。上記のトイレ用照明装置２の運用として、トイレ用照明装置２が設置されるトイレ付設照明器が付設されたトイレ空間では、就寝時間帯には、手動で点灯及び消灯されるトイレ付設照明器の手動点灯操作は行わないことにする運用とする。又、所定照度を、就寝時間帯である夜間にトイレ付設照明器が消灯している状態のトイレ空間内の明るさと略同じか、若干明るい照度とする。すると、就寝時間帯では、トイレが使用される場合でもトイレ付設照明器は消灯したままであるので、照度センサ５２により検知されるトイレ空間の照度は、予め設定された所定照度以下であり、照明要表示フラグＦ２がセットされる。
【００７５】
そこで、照明要表示フラグＦ２がセットされている就寝時間帯にトイレを使用すると、赤外線センサ５１がトイレ使用者の存在を検知して侵入信号を出力したときに、光源電源部１２により光源３７が点灯される。又、光源３７の光が、光源用リフレクター４４で反射されると共に、乳白色の半透光性を有する円筒状の外筒３２を透過してトイレ用照明装置２の外側に放射されるので、トイレ用照明装置２の外側に放射される光は、略、光源３７の間接光、及び、半間接光となる。従って、就寝時間帯に点灯される光源３７の明るさは、トイレ付設照明器の光源の明るさよりも暗いと共に、照射される光は、間接光や半間接光であるので、就寝時間帯にトイレを使用したときに、トイレの照明が眩しくなるのを解消することができる。
【００７６】
又、上記のほか、上記の実施の形態２におけるトイレ用照明装置２の有する効果は、上述した実施の形態１におけるトイレ用照明装置１の有する効果と同様である。
【００７７】
又、上記のトイレ用照明装置２では、光源３７の消灯を、ＣＰＵ１１が備えるタイマー機能を用いることで点灯継続時間の経過により行っているが、実施の形態１におけるトイレ用照明装置１と同様、赤外線センサ５１に人体から放射される熱赤外線を検知しなくなると退出信号を出力する機能を備えると共に、こ退出信号を用いて光源３７の消灯を行うようにしてもよい。この場合は、点灯継続時間の設定を行う必要はない。
【００７８】
図８は、このような場合のトイレ用照明装置２の制御部２０の動作を示したフローチャートである。この場合、図７(ａ)のフローチャートの動作はそのまま用いると共に、図７(ｂ)のフローチャートの動作に代えて、図８のフローチャートの動作を用いる。
【００７９】
即ち、図８のフローチャートにおいて、最初に、赤外線センサ５１から侵入信号が出力されたか否かがチェックされ（Ｓ３６）、侵入信号が出力されると、次に、照明要表示フラグＦ２がセットされているか否かがチェックされる（Ｓ３７）。照明要表示フラグＦ２がセットされていなければ（Ｓ３７）、侵入信号が出力された時刻は照明要ではないので、Ｓ３６に戻って上記の処理が繰返される。
【００８０】
Ｓ３７で照明要表示フラグＦ２がセットされていると、侵入信号が出力された時刻は照明要であるので、光源電源部１２により光源３７が点灯される（Ｓ３８）。光源３７が点灯されると、赤外線センサ５１から退出信号が出力されたか否がをチェックされ（Ｓ３９）、退出信号が出力されると（Ｓ３９）、光源電源部１２により光源３７が消灯されて（Ｓ４０）、Ｓ３６に戻って上記の処理が繰返される。
【００８１】
又、上記のトイレ用照明装置２において、ファン４１を備えないトイレ用照明装置を構成することができる点、及び、光源３７をトイレ用照明装置２の上部に備えるように構成することができる点は、実施の形態１におけるトイレ用照明装置１と同様である。
【００８２】
又、上記の実施の形態１におけるトイレ用照明装置１、或いは、実施の形態２におけるトイレ用照明装置２では、光源３７に白熱ランプを用いているが、これには限られず、およそ照明用の光源として使用可能なものは、どのようなものでも全て使用することができる。
【図面の簡単な説明】
【００８３】
【図１】実施の形態１におけるトイレ用照明装置の断面図である。
【図２】実施の形態１におけるトイレ用照明装置の制御部の構成を示したブロック図である。
【図３】(ａ)は、実施の形態１におけるトイレ用照明装置の制御部の動作を示したフローチャート(その１)であり、(ｂ)は、同じくフローチャート(その２)である。
【図４】実施の形態１における他の例のトイレ用照明装置の制御部の動作を示したフローチャートである。
【図５】実施の形態２におけるトイレ用照明装置の断面図である。
【図６】実施の形態２におけるトイレ用照明装置の制御部の構成を示したブロック図である。
【図７】(ａ)は、実施の形態２におけるトイレ用照明装置の制御部の動作を示したフローチャート(その１)であり、(ｂ)は、同じくフローチャート(その２)である。
【図８】実施の形態２における他の例のトイレ用照明装置の制御部の動作を示したフローチャートである。
【符号の説明】
【００８４】
１  トイレ用照明装置
２  トイレ用照明装置
１０  制御部
１１  ＣＰＵ
１２  光源電源部
１３  表示部
１４  タイマー操作部
２１  操作部
３１  台座
３２  外筒
３３  連結脚
３３ａ  光源支持板支持片
３３ｂ  外筒支持片
３４  光源支持板
３４ａ  光源支持板通気孔
３５  上支持板
３５ａ  上支持板通気孔
３６  光源用ソケット
３７  光源
３８  ブラックライトソケット
３９  ブラックライト
４０  半筒壁
４０ａ  半筒壁係止片
４１  ファン
４２  ファン支持脚
４３  電源ケーブル
４４  光源用リフレクター
５１  赤外線センサ
５２  照度センサ
【図１】
2008016409.tif 000003
【図２】
2008016409.tif 000004
【図３】
2008016409.tif 000005
【図４】
2008016409.tif 000006
【図５】
2008016409.tif 000007
【図６】
2008016409.tif 000008
【図７】
2008016409.tif 000009
【図８】
2008016409.tif 000010